(57)【特許請求の範囲】
【請求項１】
コンクリート建造物（１）のコンクリート片（１０）が落下した面および／または前記コンクリート片の落下が予測される面を、複数個の板状部材（２）で被覆するコンクリート建造物のコンクリート片落下防止構造であって、前記コンクリート建造物の天井梁の全面を前記板状部材で被覆するとともに、前記コンクリート建造物の天井梁と前記板状部材との間に間隙（３）を設け、前記間隙に通気することを特徴とするコンクリート建造物のコンクリート片落下防止構造。
【請求項２】
前記コンクリート建造物の天井梁の形状に合わせて前記複数個の板状部材を成形、連結したことを特徴とする請求項1記載のコンクリート建造物のコンクリート片落下防止構造。
【請求項３】
前記板状部材は透明性を有する樹脂であることを特徴とする請求項１または２記載のコンクリート建造物のコンクリート片落下防止構造。
【発明の詳細な説明】
【０００１】
【発明の属する技術分野】
本発明はコンクリート建造物のコンクリート片落下防止構造に係わり、特に、成形した複数個の板状部材でコンクリート面を被覆して落下を防ぐコンクリート建造物のコンクリート片落下防止構造に関する。
【０００２】
【従来の技術】
最近、新幹線のトンネル内壁や高速道路の高架橋等のコンクリート建造物で、コンクリート片の落下が続発し、大きな問題になっている。
【０００３】
その原因は種々取り沙汰されているが、コンクリートを爆裂させコンクリート片の落下をもたらす鉄筋の錆は、鋼でできている鉄筋がコンクリートの変性につれて発生するもので、根本的に避けられない。建造当初の鉄筋はアルカリ性のコンクリートに覆われて錆から守られているが、空気中の二酸化炭素や酸性雨のためにコンクリートが表面付近から中性化する。特に水がかかる部分ではその速度が速い。年月の経過につれて、中性化はコンクリートの内部に達し、内部の鉄筋をさびさせる。さびた鉄筋は体積が膨張し、コンクリートを爆裂させ、コンクリート片の落下をみるようになる。
【０００４】
対応として、トンネル内壁等のコンクリート建造物では、打検して音の異常から判定し、あるいは目視により剥落をみつけ、問題個所にその形状に対応したアングルを固定して落下を防止している。また、剥落個所ではコンクリートの亀裂をハンマーでたたき崩し、内部鉄筋の錆を落として錆止め塗装を施しコンクリートを打つという補修手段がとられている。
【０００５】
上述のトンネル、橋脚等のコンクリート建造物のほかに、鉄筋コンクリート造りの室内プールの天井等でも同様にコンクリート片の落下が問題となっている。特に温水プールでは、天井付近は４０度を超える高温と湿気のため鉄筋はさびやすく、築年数の経過とともに梁の表面からコンクリート片の落下している個所が多数認められるようになる。これに対し、従来は上述のトンネル内部や橋梁と同様の補修手段がとられていた。
【０００６】
【発明が解決しようとする課題】
しかしながら、アングルを固定する落下防止策は線と線による補強であり、アングルとアングルの間隔をよほどつめないとアングルがない部分でのコンクリート落下は防止できない。また、落下個所の錆落し、錆止め塗装、コンクリート打ちという補修手段は根本的な改善ではないため、数年後、同じ事故を引き起こすことが予想される。
【０００７】
鉄筋をさびさせないために、鉄筋を厚いコンクリートで覆い、鉄筋付近のコンクリートの中性化を遅らせる提案もあるが、既設のコンクリート建造物には採用不可能である。
【０００８】
本発明は、上述の問題を解決するためになされたもので、既設のコンクリート建造物における、鉄筋の錆でコンクリートが爆裂してコンクリート片が落下するのを防止し、さらに鉄筋の錆を防止するコンクリート建造物のコンクリート片落下防止構造を提供するものである。
【０００９】
【課題を解決するための手段】
本発明によるコンクリート建造物のコンクリート片落下防止構造は、コンクリート建造物のコンクリート片が落下した面および／またはコンクリート片の落下が予測される面の天井梁の全面を、複数個の板状部材で被覆するとともに、コンクリート建造物の天井梁と板状部材との間に間隙を設け、間隙に通気する。
【００１０】
また、本発明によるコンクリート建造物のコンクリート片落下防止構造は、コンクリート建造物の形状に合わせて複数個の板状部材を成形、連結したものである。
【００１１】
板状部材は透明性を有する樹脂である。
【００１２】
本発明によるコンクリート建造物のコンクリート片落下防止構造は、コンクリート片が落下した面および／またはコンクリート片の落下が予測される面の天井梁の全面を、複数個の板状部材を成形・連結して被覆し、コンクリートと板状部材との間に間隙を設けて通気して、板状部材でコンクリート片の落下を防ぐと共に通気によって内部の鉄筋の錆発生を防ぎ、コンクリートの爆裂を未然に防止できる。また、板状部材に透明な樹脂を採用してコンクリート表面の変化を目視できる利点を有する。
【００１３】
【発明の実施の形態】
以下に、本発明によるコンクリート建造物のコンクリート片落下防止構造における実施の形態例を、図面を参照して詳述する。
【００１４】
コンクリート片が落下した鉄筋コンクリート造りの室内プールの天井梁について、剥落個所周囲はコンクリートの亀裂をハンマーでたたき崩し、内部鉄筋の錆を落として錆止め塗装をしてコンクリートを打って補修し、図２（ａ）に示す板状部材２を、同図（ｂ）に示すように梁の形状に合わせて成形したもの２０の多数個を、図１（ａ）、（ｂ）に示すように、ボルト５で固定し、天井から垂直に張り出した梁のコンクリート全面を板状部材２でカバー状に被覆する。更に天井の水平部分も後述する連結方法を併用して全面を板状部材２で被覆することができる。
【００１５】
板状部材２としては、軽く、機械的強度が大きく、耐水性があり、耐熱温度が高く、酸・アルカリに強く、電気絶縁性に優れ、自己消化機能（耐燃性）を備えたポリプロピレンが好適であるが、ポリプロピレンに限定されず、航空機等に採用されている炭素繊維強化プラスチィック等の合成樹脂も好適である。更に、樹脂に限定されず、ステンレスや軽量のアルミニューム等の金属も適宜選択される。
【００１６】
成形した樹脂２０をコンクリート建造物１に固定するには、図２（ａ）、（ｂ）に示すように、あらかじめ板状樹脂２にボルト穴２１、２１、・・・を穿ち、樹脂に穿ったボルト穴２１、２１、・・・に対応して、同図（ｃ）に示すように、梁や天井にアンカーボルトを５、５、・・・打込んでおく。成形した樹脂２０を所定位置に配置してボルト穴２１からアンカーボルト５の上部を突出させ、成形した樹脂２０と同質の樹脂で製作し内部にねじ山が切ってあるボルトカバー６を螺着する（図１（ｃ））。
【００１７】
本発明によるコンクリート建造物のコンクリート片落下防止構造は、広大な面積を被覆するため、建造物の形状、多数個の板状樹脂２、２、・・・で大きさにあわせ構成される（図１（ｂ））。例えば２５ｍ幅の梁1本を被覆するとき、１５個の板状樹脂２、２、・・・を使用して、１５個のカバー状に成形した樹脂２０、２０、・・・とし、それら１５個の成形した樹脂２０を順次連結して被覆する。
【００１８】
通常、樹脂の成形加工は金型を使用する射出成形で行われるが、本発明に採用される板状樹脂２の成形は、板状樹脂２を曲げ加工して行われる。
【００１９】
図２（ａ）に示すように、ポリプロピレン樹脂の曲げ加工は、板状樹脂２の曲げ線２２、２３、２４に沿ってＶ字溝をつけ、電気ヒーターをＶ字溝の裏から近づけて加温し、樹脂を溶融させて溝面を圧着する。複数本のＶ字溝に同様な曲げ加工を施し、断面が“コ”の字型（図１（ａ））、あるいはその変形（図１（ｃ））のカバー状に成形した樹脂２０が得られる。Ｖ字溝の角度を調節すれば、緩やかなカーブ面の被覆に適する成形した樹脂（図示せず）を構成することができる。
【００２０】
上述のようにして建造物の形状に相当するよう成形された複数個の成形した樹脂２０を連結するため、図３（ａ）、（ｂ）に示すように、順次連結される成形した樹脂２０の一定方向（図では右側）に連結片２５をそれぞれ固定する。連結片２５は、板状樹脂２と同質部材（ポリプロピレン樹脂）で構成され、そのほぼ半分が板状樹脂２側に溶接され、残半分が隣り成形した樹脂２０に重なる状態になる。
【００２１】
連結片２５を板状樹脂２に固定する際、熱風を溶接部に吹きつけ、樹脂表面と溶接棒を同時に溶かして溶接する。板状部材２として金属が選択されたときには連結片２５も同質金属が溶接される。
【００２２】
建造物１のコンクリート表面に、初めの成形した樹脂２０をアンカーボルト５で固定し、その連結片２５の上に重ねて次ぎの成形した樹脂２０を固定することを繰返して、建造物の形状、大きさにあわせ多数個を連結する。
【００２３】
成形した樹脂２０をコンクリート建造物に固定する際、図１（ｃ）に示すように、長いアンカーボルト５を選択して、コンクリート面との間に１０〜７０ｃｍ、より好ましくは２０〜５０ｃｍの間隙３を設けるようにして固定すると、連結された樹脂カバーとコンクリート間に間隙３ができる。この間隙３をダクトにしてファンで空気を循環させ、コンクリート面の結露を防止することが可能である。これにより、コンクリート内の鉄筋の錆発生を遅らせる効果が大である。
【００２４】
板状樹脂２として透明性を有する樹脂を採用することにより、コンクリート面の目視検査が可能とる。また、成形した樹脂２０はブロック単位で着脱可能であるから、目視で剥落個所が発見されたときには、対応するブロックの板状樹脂２を外して補修し、再度板状樹脂２をボルト締めすればよい。
【００２５】
実施例では、コンクリート建造物として室内プールを例示したが、板状樹脂２の成形形状を変えることにより、新幹線のトンネル内壁や高架橋、高速道路の橋脚等のコンクリート落下を防止するのにも、同様に優れた効果をあげることができるのはいうまでもない。
【００２６】
【発明の効果】
以上の説明からも明らかなように、本発明によるコンクリート建造物のコンクリート片落下防止構造は、コンクリート建造物のコンクリート片が落下した面および／またはコンクリート片の落下が予測される面の天井梁の全面を、複数個の板状部材で被覆するもので、コンクリート建造物の形状に合わせて複数個の板状部材を成形、連結し、コンクリート建造物と板状部材との間に間隙を設けて間隙に通気し、板状部材には透明性を有する樹脂を採用するので、コンクリート片が落下した面および／またはコンクリート片の落下が予測される面の天井梁の全面を、成形した複数個の板状部材で被覆してコンクリート片の落下を防ぐと共に、コンクリート表面に通気して内部の鉄筋の錆発生を防ぎ, コンクリートの爆裂を未然に防止できる。また、透明な樹脂を採用してコンクリート表面の変化を目視検査することが可能である。
【図面の簡単な説明】
【図１】  （ａ）本発明のコンクリート建造物のコンクリート片落下防止構造を説明する部分断面図。
（ｂ）本発明を説明する斜視図。
（ｃ）本発明の他の実施例を説明する部分断面図。
【図２】  （ａ）本発明に採用される板状部材を説明する図。
（ｂ）本発明の採用される板状部材の成形を説明する図。
（ｃ）本発明が採用されるコンクリート建造物を説明する図。
【図３】  （ａ）本発明に採用される板状部材の連結を説明する側面図。
（ｂ）本発明に採用される板状部材の連結を説明する斜視図。
【符号の説明】
１・・・・・コンクリート建造物
１０・・・・・コンクリート片
２・・・・・板状部材
２０・・・・・成形した樹脂
２１・・・・・ボルト穴
２２、２３、２４・・・・・板状部材の曲げ線
２５・・・・・連結片
３・・・・・間隙
５・・・・・アンカーボルト
６・・・・・ボルトカバー
【図１】
0004323646.tif 000002
【図２】
0004323646.tif 000003
【図３】
0004323646.tif 000004